(57)【要約】本発明は、少なくとも１つの回生ブレーキ装置（１２）を備えた車両の減速構成（１０）を制御する方法であって、少なくとも１つの回生ブレーキ装置（１２）は、可変的な制動トルクによって車両を減速させ、制動トルクに対応する電気エネルギーを生成するよう構成される。車両を駆動するための操作要素（２２）、特に加速ペダル（２２）の復帰速度が検出される（Ｓ２）。復帰速度、及び／又は、復帰速度と相関する値が、所定の閾値を上回り又は下回る限りにおいて、予め定められた制動トルクが、回生ブレーキ装置（１２）により加えられる（Ｓ５）。【選択図】図１
2014527392.tif 000002
【特許請求の範囲】
【請求項１】
少なくとも１つの回生ブレーキ装置（１２）を備えた車両の減速構成（１０）を制御する方法であって、前記少なくとも１つの回生ブレーキ装置（１２）は、可変的な制動トルクによって前記車両を減速させ、前記制動トルクに対応する電気エネルギーを生成するよう構成され、前記車両を駆動するための操作要素（２２）、特に加速ペダル（２２）の復帰速度が検出される（Ｓ２）、前記方法において、
前記復帰速度、及び／又は、前記復帰速度と相関する値が、所定の閾値を上回り又は下回る限りにおいて、予め定められた制動トルクが、前記回生ブレーキ装置（１２）によって加えられる（Ｓ５）ことを特徴とする、方法。
【請求項２】
前記予め定められる制動トルクは、前記車両の走行状況に応じて決定される、請求項１に記載の方法。
【請求項３】
前記車両は、電動機（１２）によって駆動され、前記電動機（１２）は、前記車両にブレーキを掛けるための前記回生ブレーキ装置（１２）の構成要素として、発電機（１２）として駆動可能である、請求項１又は２に記載の方法。
【請求項４】
前記復帰速度が前記所定の閾値を上回る限りにおいて、最大制動トルクが、前記回生ブレーキ装置（１２）によって生成される、請求項１〜３のいずれか１項に記載の方法。
【請求項５】
前記復帰速度が、第２の予め定められた閾値を下回る限りにおいて、制動トルクは前記回生ブレーキ装置（１２）によって生成されない、請求項１〜４のいずれか１項に記載の方法。
【請求項６】
前記復帰速度が、前記第２の予め定められた閾値を下回り（Ｓ６）、前記車両にブレーキを掛けるための操作要素、特にブレーキペダル（２０）が踏まれる（Ｓ８）限りにおいて、前記回生ブレーキ装置（１２）によって、電気エネルギーを生成するために、制動トルクが生成される、請求項１〜５のいずれか１項に記載の方法。
【請求項７】
前記第２の予め定められた閾値は、前記第１の予め定められた閾値よりも小さい、請求項１〜６のいずれか１項に記載の方法。
【請求項８】
前記復帰速度が、前記第１の予め定められた閾値と前記第２の予め定められた閾値との間にある値を有する（Ｓ６）限りにおいて、前記制動トルクが、前記車両を駆動するための前記操作要素（２２）の位置に従って変更される（Ｓ７）、請求項４〜７のいずれか１項に記載の方法。
【請求項９】
前記第１の閾値、及び／又は、前記第２の閾値は、特に手動で運転者により設定可能である、請求項４〜８のいずれか１項に記載の方法。
【請求項１０】
前記予め定められる制動トルクは、特に手動で前記運転者により設定可能である、請求項１〜９のいずれか１項に記載の方法。
【請求項１１】
制御装置（２８）は、前記減速構成（１０）を、メモリ（３０）に格納されたユーザ固有のプロファイルに従って制御し、前記制御装置（２８）は、特に自己学習するよう構成され、前記ユーザ固有のプロファイルは、前記運転者の操作入力に基づいて更新される、請求項１〜１０のいずれか１項に記載の方法。
【請求項１２】
前記車両の周囲の障害物を検出するための環境検出が実行され、前記予め定められる制動トルクが、前記環境検出の結果を考慮して決定される、請求項１〜１１のいずれか１項に記載の方法。
【請求項１３】
請求項１〜１１のいずれか１項に記載の方法を実施するよう構成されて調整された、車両の減速構成（１０）のための制御装置。
【発明の詳細な説明】
【技術分野】
【０００１】
本発明は、車両の減速構成を制御する方法、及び、このような方法を実行するよう構成された制御装置に関する。
【背景技術】
【０００２】
ハイブリッド車又は純粋に電気的に駆動される車両の場合、制動過程の間に運動エネルギーが、電動機の回生動作によって取り戻され、バッテリがこのエネルギーによって充電される（回収、Ｒｅｋｕｐｅｒａｔｉｏｎ）ことが既に知られている。この場合、電動機は、マイナスの駆動トルクを生成し、即ち、電動機は発電機として動作する。電動機が、プラスの加速トルクもマイナスの加速トルクも生成しない場合、車両は前方へと駆動されず、外部の影響（例えば、空気抵抗、回転抵抗、車道の勾配）によってのみ加速され又はブレーキが掛けられる（この現象は、英語文献では「フリーホイーリング（ｆｒｅｅ  ｗｈｅｅｌｉｎｇ）」と称されている）。マイナスの加速トルクの場合には、車両の減速の程度として運転者が認知でき、回収トルクを調節することが可能である。
【０００３】
近代的な車両では、いつ電動機が発電機として駆動されるかについての様々な駆動コンセプトが公知である。従って、例えば、固定的に設定された粗い段階で回収が行われる車両が公知である。加速ペダルが開放される場合に、所定の駆動トルクによって回収が開始される（このことは、例えば走行モードに依存し、この走行モードは例えば、スポーツ的な走行モード、快適な走行モード、又は、エコな走行モードであってもよい）。
【０００４】
さらに、運転者によって、スイッチを用いて手動で回収トルクを設定することが可能な車両が公知である。この回収トルクは、（ブレーキペダルが踏まれていない限り）加速ペダルの開放時に設定される。加速ペダルが完全に開放されて初めて回収が開始される。ブレーキペダルが踏まれている際には、回収トルクは、予め定められた回収トルクに達するまで追加的に高められる。さらに、所定のブレーキペダルストローク以降、制動トルクをさらに（追加的に）高める油圧的ブレーキが作動される。
【０００５】
最後に、加速ペダルが完全に開放される前に既に回収が開始される車両が公知である。このことから、所定のペダル位置で車両が惰性で進み（即ち、電動機は、ポジティブな駆動トルクもネガティブな駆動トルクも生成せず）、運転者が、軽度の加速ペダル位置の設定を介して、回収強度の度合いを調整できることが推測される。その際に、車両が惰性で進む厳密な加速ペダルストロークは、速度に依存しうる。速度がより速い場合には、このポイントは、より高い加速ペダル位置に存在する。その理由は、最大駆動トルク及び最大回収トルクが、回転数及び速度に依存して変化することにある。速度がより速い場合には、電動機内の摩擦損失を益々補正しなければならない。運転者にとっては、速度がより速い場合には、回収の大きさを調整するために、より長い加速ペダルストロークを使用するということになる。
【発明の概要】
【発明が解決しようとする課題】
【０００６】
車両の回生制動時及び車両の駆動時には、電動機を介して可能な限り高い効率を実現すべきであるため、電気的・回生ブレーキは、車両の１つ以上の軸と接続されている。このような構成において、可能な限り小さな摩擦と可能な限り高い効率とが達成される。換言すれば、電気的・回生ブレーキは、電動機によっても駆動される軸、例えば前軸上でのみ作用する。制動状況に応じて、個々の軸に対して制動トルクが均等に分散されない、即ち理想的に分散されないことが起こりうる。例えば、制動トルクは、個々の軸への各荷重に比例しない割合で各軸に対して作用する可能性がある。不均等な制動力の分散は、走行ダイナミクス（Ｆａｈｒｄｙｎａｍｉｋ）、又は、車両の制御可能性に対しても不都合な影響を与える可能性がある。回生減速構成を備えた車両では、可能な限り多くの制動エネルギーを取り戻すという要求に起因して、走行安定性に対する特に強い影響が見込まれる。換言すれば、一方では、回生ブレーキによる可能な限り高いエネルギーの回収と、他方では、制動過程の間の高い走行安定性と、の間で、目標間コンフリクトが発生する。
【課題を解決するための手段】
【０００７】
従って、本発明に基づいて、少なくとも１つの回生ブレーキ装置を備えた車両の減速構成を制御する方法が提供される。回生ブレーキ装置は、可変的な制動トルクによって車両を減速させ、制動トルクに応じた電気エネルギーを生成するよう構成される。本発明に係る方法では、車両を駆動するための操作要素、特に加速ペダルの復帰速度（Ｒｕｅｃｋｎａｈｍｅｇｅｓｃｈｗｉｎｄｉｇｋｅｉｔ）が検出される。さらに、本発明に係る方法では、復帰速度、及び／又は、当該復帰速度と相関する値が、所定の閾値を上回り又は下回る限りにおいて、予め定められた制動トルクが、回生ブレーキ装置によって加えられる。
【０００８】
さらに、本発明に基づいて、このような方法を実行する制御装置が提供される。
【０００９】
車両は、特に電気自動車である。「電気自動車」という概念において、本稿での文言では、例えば電気エネルギーを介してのみ駆動される車両、及び、内燃機関又は燃料電池と電動機との組み合わせを有するハイブリッド車と理解されたい。「加速ペダル」という概念は、運転者が踏むことが出来、それにより車両の速度又は加速度を調整することが可能な操作要素として理解されたい。
【発明の効果】
【００１０】
本発明によって、可能な限り高い効率が実現される。運転者は、加速ペダルの開放によって回生動作を開始し、従って、回生動作を作動させるために追加的な操作要素を操作する必要がない。これにより、追加的な操作要素無しで、改善された操作快適性が提供される。
【００１１】
本発明に係る方法の一構成によれば、上記予め定められる制動トルクは、車両の走行状況に応じて決定される。
【００１２】
これにより、本発明に係る方法を実施する制御装置の開ループ又は閉ループ制御アルゴリズムを、所与の限定条件又は車両の特定の走行状況に対して最適に調整することが可能である。
【００１３】
本発明に係る方法の一実施形態において、車両は電動機によって駆動される。その際に、電動機は、車両にブレーキを掛けるための回生ブレーキ装置の構成要素として、発電機として駆動可能である。
【００１４】
即ち、個々の電動機は、車両を駆動するための駆動ユニットとして、又は、エネルギー回収のための発電機として駆動されうる。この二重の機能により、追加的な装置が必要となることはなく、このようにして設置空間とコストが削減される。
【００１５】
一実施形態において、復帰速度が所定の閾値を上回る限りにおいて、最大制動トルクが、回生ブレーキ装置によって生成される。
【００１６】
これにより、例えば、緊急の状況において、アクセルペダルが非常に速く復帰する場合に、最大制動トルクによって制動過程が迅速に開始され、これにより安全性を向上させることが可能である。
【００１７】
本発明に係る方法の一変形例において、復帰速度が第２の予め定められた閾値を下回る限りにおいて、制動トルクは回生ブレーキ装置によって生成されない。
【００１８】
従って、例えば、車両の惰性運転（Ｓｃｈｕｂｂｅｔｒｉｅｂ）中に、即ち、惰力走行（Ａｕｓｒｏｌｌｅｎ）時に回収トルクを抑制することが可能であり、従って、車両の開放された運動エネルギーを、より長い惰力走行距離を達成するために利用することが可能である。一の機械的エネルギーの形態から他の機械的エネルギーへの変換は、運動エネルギーから電気エネルギーへの変換と比較して特に効率が高い。
【００１９】
本発明に係る方法の一構成において、復帰速度が第２の予め定められた閾値を下回り、車両を減速させるための操作要素、特に、車両にブレーキを掛けるためのブレーキペダルが踏まれる限りにおいて、回生ブレーキ装置によって、電気エネルギーを生成するために、制動トルクが生成される。
【００２０】
従って、ブレーキペダルの操作には、加速ペダル操作に対してより高い優先度が割り当てられるため、いずれの場合せよ、運転者が意図する総制動効果が得られる。
【００２１】
第１の予め定められた閾値は、第２の予め定められた閾値と一致してもよい。しかしながら、本発明に係る方法の一変形例によれば、第２の予め定められた閾値は、第１の予め定められた閾値よりも小さい。
【００２２】
これにより、加速ペダルの復帰速度の範囲が、３つの部分範囲へと分けられる。個別範囲に区切ることによって、様々な制動ストラテジー、例えば、回収に最適化され及び／又は減速に最適化された制動ストラテジーを設定することが可能である。
【００２３】
例えば、復帰速度が、第１の予め定められた閾値と第２の予め定められた閾値との間にある値を有する限りにおいて、制動トルクが、車両を駆動するための操作要素の位置に従って変更される。
【００２４】
これにより、追加的な操作要素無しに、運転者は有利に、自身の要望に応じて車両の回収挙動を制御することが可能である。
【００２５】
さらに、この観点の根底には、通常の走行操作に対して著しく速い加速ペダルの復帰速度を、緊急制動状況が存在する基準として評価出来るという認識がある。このために、本発明に係る方法は、早期に、ブレーキペダルを踏む前に既に、自動的な制動過程を開始することが可能である。従って、危険な状況において制動トルクの形成のために時間が失われないことが保証される。
【００２６】
本発明に係る方法の一変形例において、第１の閾値、及び／又は、第２の閾値は、特に手動で運転者により設定可能である。
【００２７】
例えば、予め定められる制動トルクは、特に手動で運転者により設定可能である。
【００２８】
これにより、運転者は、車両の走行力学的な状態に対して影響を与えることが可能であり、従って、所定の走行挙動、例えばスポーツ的な走行挙動又は快適な走行挙動が生れる。
【００２９】
本発明に係る方法の一構成において、制御装置は、減速構成を、メモリに格納されたユーザ固有のプロファイルに従って制御する。その際、制御装置は、特に自己学習をするよう構成され、ユーザ固有のプロファイルは、運転者の操作入力に基づいて更新される。
【００３０】
従って、運転者固有の制御を最適に形成することが可能な長期のプロファイルを作成することが可能である。
【００３１】
本発明に係る方法の一実施形態に従って、車両の周囲の障害物を検出するための環境検出が実行される。その際に、予め定められる制動トルクは、環境検出の結果を考慮して決定される。
【００３２】
環境検出は、基本的に任意に構成することが可能である。例えば、環境検出装置は、生成された磁場が検出された物体によって変化し当該変化がそれにより測定される磁気センサを有してもよい。さらに、先行技術には、超音波に基づく環境検出装置もある。例えば、環境検出装置によって、物体、例えば他の車両に対する車両の接近が検出され、差し迫った衝突が防止されうる。
【００３３】
本発明に係る方法の特徴、特性、及び利点は、対応して同様に、本発明に従って構成される制御装置にも当てはまる。
【図面の簡単な説明】
【００３４】
【図１】本発明に係る方法を実行するための車両の減速構成の概略図を示す。
【図２】本発明に係る方法のフローチャートを示す。
【発明を実施するための形態】
【００３５】
図１は、本発明に係る方法を実施するための減速構成１０の概略図を示す。減速構成１０は、回生ブレーキシステムとして構成され、摩擦ブレーキ装置１４の他に、発電機１２と、電気エネルギーを生成するための制御ユニット（インバータ装置）と、を有する。発電機１２は、例えば、車両を駆動するためのモータとして駆動可能である。
【００３６】
例えば、車両の（図示されない）２つの前輪又は前軸は、発電機１２と接続される。その際に、制動過程における車両の減速部全体は、発電機１２の減速部と、摩擦ブレーキ装置１４と、から構成される。
【００３７】
摩擦ブレーキＲ１、Ｒ２、Ｒ３、Ｒ４のために必要な制動圧力は、ブレーキペダル２０と連結された主ブレーキシリンダ１６を介して加えられる。制動圧力を形成するために、主ブレーキシリンダ１６によって、制動手段が、個々の摩擦ブレーキＲ１、Ｒ２、Ｒ３、Ｒ４への対応する油圧線Ｌ１、Ｌ２、Ｌ３、Ｌ４を介して押圧される。その際に、摩擦ブレーキＲ１、Ｒ２、Ｒ３、Ｒ４はそれぞれ、１つの車輪に割り当てられる。ブレーキブースタ１８は、ブレーキペダル２０と主ブレーキシリンダ１６との間に配置され、例えば非人力エネルギー・圧縮空気（Ｆｒｅｍｄｋｒａｆｔ−Ｄｒｕｃｋｌｕｆｔ）によって、ブレーキペダル２０に対して運転者により加えられるペダル力を高める。
【００３８】
加速ペダル２２の位置は、加速ペダルセンサ２４によって検出され、評価装置２６へと転送される。評価装置２６は、加速ペダル２２の検出された位置から、加速ペダルの復帰速度を定めるよう構成される。評価装置２６は、出力側で、データ線２７を介して、自動制動過程を制御するための制御装置２８と接続される。制御装置２８は、自己学習するよう構成されてもよい。このために、メモリ３０は、制御装置２８内若しくは制御装置２８の外部、又は、一変形例において、車両の外部でも書込み可能に構成され、従って、制御装置２８のための制御プログラムを、個別の技術的設備に保管してロードすることが可能である。その際に、プログラムは、自己学習型アルゴリズムを含む。制御装置２８は、メモリ３０に格納されたユーザ固有のプロファイルに従って、減速装置１２、１４を制御する。制御装置２８は、駆動中に、ユーザ固有のプロファイルを、ユーザの特定の操作入力（例えば、加速ペダル２２の開放）の解析に基づいて更新する。従って、制御装置２８は、より長い時間に渡って運転者の動作を検出する。
【００３９】
制御装置２８には、データ線３１を介して、ブレーキペダル２０のペダルストロークの信号、又は、相関値が供給される。制御装置２８は、制御線３３を介して、ブレーキブースタ１８の切り替え弁３６を制御することが可能であり、従って、ブレーキペダル２０の踏込みに依存せずに制動圧力を形成することが可能である。
【００４０】
運転者情報装置３８、例えばディスプレイは、設定に関する情報、例えば、回収性能の現在の状態についての手動での設定に関する情報、及び、操作コンセプトについての情報、又は、省エネ走行のための操作コンセプトの利用についての情報を運転者に提供する。当然のことながら、対応する情報を聴覚的に提供することも可能である。
【００４１】
複数のセンサを有するセンサ装置４０によって、車両の走行状況を特徴付けるパラメータ、例えば、走行ダイナミクスパラメータが検出される。伝送線４２を介して、センサ装置４０の出力信号が制御装置２８へと伝達される。
【００４２】
環境検出装置４４は、伝送線４６を介して制御装置２８と接続される。環境検出装置４４は、例えば、伝送線４６を介して制御装置２８へと伝達される映像信号を生成するためのカメラ装置を有する。制御装置２８では、映像処理ユニットによって、三次元のパターン検出に基づいて、先行車両又は車両の前に存在する車両のような物体が検出される。制御装置２８がクリティカルな交通状況、例えば、差し迫った他車との衝突を検出した場合には、走行状況を考慮して自動的に減速装置１２、１４を制御して車両を減速させる。
【００４３】
走行動作時に、評価装置２６は、当該評価装置２６により定められた、加速ペダル２２の復帰速度ＶＲの値を、データ線２７を介して制御装置２８へと伝送する。制御装置２８内では、この復帰速度ＶＲの値が、上の閾値ＳＯ及び下の閾値ＳＵと比較される。復帰速度ＶＲの値が上の閾値ＳＯを上回る場合には、制御装置２８は、発電機１２を駆動して、その際に回生制動を促す。その際に、制御装置２８は、予め定められる制動トルクＢｍａｘであって、センサ装置４０により検出された各走行状況に応じて定められる上記制動トルクＢｍａｘを設定する。予め定められる制動トルクＢｍａｘは、より高い走行快適性を実現するために、時間とともに増大して推移しうる。回生制動とは、開放される車両の運動エネルギーが、発電機１２によって電気エネルギーに変換されることである。形成される制動トルクが大きいほど、回生制動時に形成される電気エネルギーが強くなる。取り戻された電気エネルギーは、走行動作のストラテジーに従って、蓄電池の充電のために又は電気消費機器に電力供給するために利用することが可能である。
【００４４】
復帰速度ＶＲの値が下の閾値ＳＵを下回る場合には、車両にブレーキを掛けるためのブレーキペダル２０が踏まれているという前提でのみ、制御装置２８によって、回生性能の開始が促される。即ち換言すると、制御装置は、ブレーキペダルの踏込みが無い状態で、車両を惰力走行させるという運転者の要望のための基準として、加速ペダル２２のゆっくりとした開放を評価する。
【００４５】
復帰速度ＶＲの値が上の閾値ＳＯを下回ると同時に下の閾値ＳＵを上回る場合には、強い減速への要望も、車両の惰力走行への要望も存在しないと想定することが出来る。従ってこの場合には、運転者が直観的に実感できる回生トルクの制御が、加速ペダル２２の踏込みによって実現される。このために、制御装置２８は、例えば、固定的に設定されたトルク又は他のストラテジーによる加速ペダル２２の位置に従って、回収トルクを変更する。
【００４６】
結果として、本発明に係る方法では、加速ペダル２２の復帰速度ＶＲの値の範囲が、異なる操作コンセプトがそれぞれで実現される３つ以上の部分範囲、即ち詳細には、復帰速度が上の閾値Ｓｏを上回る（ＶＲ＞ＳＯ）第１の部分範囲と、復帰速度が上の閾値Ｓｏと下の閾値ＳＵとの間に存在する（ＳＵ＜ＶＲ＜ＳＯ）第２の部分範囲と、復帰速度が下の閾値ＳＵを下回る（ＶＲ＜ＳＵ）第３の部分範囲と、に分けられる。異なる回収段階が実現される復帰速度の部分範囲を２つ以上定めることも可能であると理解されたい。
【００４７】
電子入力装置３２を用いて、ユーザは、例えば、最大回収強度、又は、上の閾値ＳＯ及び／又は下の閾値ＳＵのための値等のパラメータの調整を手動で行うことが可能である。ユーザによりこのように設定されたパラメータ値は、例えば、運転者情報装置３８のディスプレイに表示することが可能である。
【００４８】
図２は、本発明に係る方法の一実施形態のフローチャートを示す。
【００４９】
第１のステップＳ１において、評価装置２６によって加速ペダル復帰速度ＶＲが定められる。ステップＳ１の後で、本方法はステップＳ２に進む。ステップＳ２では、加速ペダル復帰速度ＶＲが、所定の上の閾値ＳＯよりも大きいか、又は、代替的な実施形態に従って、所定の上の閾値ＳＯよりも小さいかどうかが検査される。
【００５０】
決定Ｓ２において、本方法は、結果がイエス（ｐｏｓｉｔｉｖ）であるかノー（ｎｅｇａｔｉｖ）であるかに従って進む。ステップＳ２において結果がイエスの場合（即ち、加速ペダル復帰速度が上の閾値Ｓｏを上回り又は代替的に下回る場合）、本方法はステップＳ３に進む。ステップＳ３において、ブレーキペダル２０の踏込みがあるかどうかが検査される。
【００５１】
ステップＳ３において、ブレーキペダル２０の踏込みがないことが確認された場合には、本方法はＳ４に移り、ブレーキペダル２０の踏込みがあることが確認された場合には、本方法は終了ステップＳ１１で終了する。
【００５２】
可能な限り高いエネルギー回収と共に、各走行状況に応じた高い走行安定性を実現するために、ステップＳ４において、発電機１２のための予め定められる制動トルクＢｍａｘが、走行状況に応じて計算される。なぜならば、クリティカルではない走行状況では、クリティカルな走行状況よりも大きな発電機制動トルクを許可又は許容しうるからである。予め定められる制動トルクＢｍａｘの計算は、制御装置２８によって行われる。現在の走行状況に基づいて、予め定められる制動トルクＢｍａｘを計算するために、以下のパラメータ、即ち、少しだけ挙げると、車両速度、車両の横加速度、車両のヨーレート、車両の重心の位置、車道の摩擦値、タイヤの摩擦値のうちの１つ以上を利用し、センサ４０を用いて検出することが可能である。さらに、予め定められる制動トルクＢｍａｘを決定する際に、シャシーの構成のような車両特性を考慮することが可能である。その際に、予め定められる制動トルクＢｍａｘを計算するために、当業者には公知の、上記のパラメータ間又は影響因子間の演算操作が可能である。代替的に、予め定められる制動トルクＢｍａｘの適切な決定を、メモリ３０に格納された特性曲線を用いて行うことも可能である。横滑り防止プログラム（ＥＳＰ）を有する車両では、既存のＥＳＰセンサ装置の信号を、現在の走行状況を又は走行ダイナミクスを評価するために評価することが可能である。
【００５３】
ステップＳ４の後に、即ち、予め定められる制動トルクＢｍａｘの計算の後に、本方法はステップＳ５に進む。ステップＳ５では、制御装置２８が、予め定められた制動トルクＢｍａｘを車輪又は車軸に印加するために、対応する制御信号を発電機１２へと送信する。換言すれば、制御装置２８は、ステップＳ５で、発電機１２に対して、計算された上記予め定められた制動トルクＢｍａｘを設定する。
【００５４】
ステップＳ５の後で、本方法は終了ステップＳ１１で終了する。
【００５５】
ステップＳ２での結果がノーの場合には、本方法はステップＳ６に移る。ステップＳ６において、復帰速度ＶＲが下の閾値ＳＵよりも小さいかどうかが検査される。
【００５６】
ステップＳ６での検査結果がノーの場合には、加速ペダル復帰速度ＶＲが、下の閾値ＳＵと上の閾値ＳＯとの間に存在することが推測される。この場合、本方法はステップＳ７へと進む。
【００５７】
ステップＳ７では、発電機１２の回生性能が、例えば、加速ペダル２２の位置に従って変更される。例えば、加速ペダル２２の移動範囲（Ａｕｓｌｅｎｋｂｅｒｅｉｃｈ）又は変位は、少なくとも２つの範囲、即ち、下の範囲及び上の範囲に分けられる。ハイブリッド車の場合、下の範囲において、スロットルバルブの閉鎖時に、回収的又は回生的にブレーキが掛けられる。その際に、回生制動トルクは、加速ペダルの移動によって制御される。上の範囲では、スロットルバルブは、加速ペダルの移動によって制御される。
【００５８】
ステップＳ７の後で、本方法は終了ステップＳ１１で終了する。
【００５９】
ステップＳ６での検査結果がイエスの場合（即ち、加速ペダル復帰速度の現在の値が、下の限界値ＳＵよりも小さい場合）、本方法は、ステップＳ８に飛ぶ。
【００６０】
ステップＳ８では、ブレーキペダル２０の踏込みがあるかどうかが検査される。ステップＳ８において、ブレーキペダル２０の踏込みがないことが確認された場合には、本方法はステップＳ９へと移る。ステップＳ９において、車両の惰力走行が、回収制動トルクが印加されることなく、車両が静止状態に達するまで行われる。
【００６１】
ステップＳ９の後で、本方法はＳ１１で終了する。
【００６２】
ステップＳ８で、ブレーキペダルの踏込みがあることが確認された場合には、本方法はステップＳ１０へと移る。ステップＳ１０では、減速装置１２、１４の駆動が行われ、その際に、減速部全体は、減速装置１２、１４の減速部で構成され、全体で運転者の制動要望を満たす。
【００６３】
ステップＳ１０の後で、本方法は終了ステップＳ１１で終了する。
【図１】
2014527392.tif 000003
【図２】
2014527392.tif 000004
【手続補正書】
【提出日】平成26年2月27日(2014.2.27)
【手続補正１】
【補正対象書類名】特許請求の範囲
【補正対象項目名】全文
【補正方法】変更
【補正の内容】
【特許請求の範囲】
【請求項１】
少なくとも１つの回生ブレーキ装置（１２）を備えた車両の減速構成（１０）を制御する方法であって、前記少なくとも１つの回生ブレーキ装置（１２）は、可変的な制動トルクによって前記車両を減速させ、前記制動トルクに対応する電気エネルギーを生成するよう構成され、前記車両を駆動するための操作要素（２２）の復帰速度が検出される（Ｓ２）、前記方法において、
前記復帰速度、及び／又は、前記復帰速度と相関する値が、所定の閾値を上回り又は下回る限りにおいて、予め定められた制動トルクが、前記回生ブレーキ装置（１２）によって加えられる（Ｓ５）ことを特徴とする、方法。
【請求項２】
前記予め定められる制動トルクは、前記車両の走行状況に応じて決定される、請求項１に記載の方法。
【請求項３】
前記車両は、電動機（１２）によって駆動され、前記電動機（１２）は、前記車両にブレーキを掛けるための前記回生ブレーキ装置（１２）の構成要素として、発電機（１２）として駆動可能である、請求項１又は２に記載の方法。
【請求項４】
前記復帰速度が前記所定の閾値を上回る限りにおいて、最大制動トルクが、前記回生ブレーキ装置（１２）によって生成される、請求項１〜３のいずれか１項に記載の方法。
【請求項５】
前記所定の閾値を第１の予め定められた閾値として、
前記復帰速度が、第２の予め定められた閾値を下回る限りにおいて、制動トルクは前記回生ブレーキ装置（１２）によって生成されない、請求項１〜４のいずれか１項に記載の方法。
【請求項６】
前記復帰速度が、前記第２の予め定められた閾値を下回り（Ｓ６）、前記車両にブレーキを掛けるための操作要素が操作される（Ｓ８）限りにおいて、前記回生ブレーキ装置（１２）によって、電気エネルギーを生成するために、制動トルクが生成される、請求項５に記載の方法。
【請求項７】
前記第２の予め定められた閾値は、前記第１の予め定められた閾値よりも小さい、請求項５又は６に記載の方法。
【請求項８】
前記復帰速度が、前記第１の予め定められた閾値と前記第２の予め定められた閾値との間にある値を有する（Ｓ６）限りにおいて、前記制動トルクが、前記車両を駆動するための前記操作要素（２２）の位置に従って変更される（Ｓ７）、請求項５〜７のいずれか１項に記載の方法。
【請求項９】
前記第１の予め定められた閾値、及び／又は、前記第２の予め定められた閾値は、運転者により設定可能である、請求項４〜８のいずれか１項に記載の方法。
【請求項１０】
前記予め定められる制動トルクは、前記運転者により設定可能である、請求項１〜９のいずれか１項に記載の方法。
【請求項１１】
制御装置（２８）は、前記減速構成（１０）を、メモリ（３０）に格納されたユーザ固有のプロファイルに従って制御し、前記制御装置（２８）は自己学習するよう構成され、前記ユーザ固有のプロファイルは、前記運転者の操作入力に基づいて更新される、請求項１〜１０のいずれか１項に記載の方法。
【請求項１２】
前記車両の周囲の障害物を検出するための環境検出が実行され、前記予め定められる制動トルクが、前記環境検出の結果を考慮して決定される、請求項１〜１１のいずれか１項に記載の方法。
【請求項１３】
前記車両を駆動するための操作要素（２２）が加速ペダル（２２）である、請求項１〜１２のいずれか１項に記載の方法。
【請求項１４】
前記車両にブレーキを掛けるための操作要素がブレーキペダル（２０）である、請求項６〜１３のいずれか１項に記載の方法。
【請求項１５】
前記第１の予め定められた閾値、及び／又は、前記第２の予め定められた閾値、あるいは、前記予め定められる制動トルクは、手動で前記運転者により設定可能である、請求項９又は１０に記載の方法。
【請求項１６】
請求項１〜１５のいずれか１項に記載の方法を実施するよう構成された、車両の減速構成（１０）のための制御装置。
【国際調査報告】
2014527392.tif 000005
2014527392.tif 000006
2014527392.tif 000007
2014527392.tif 000008